(57)【特許請求の範囲】
【請求項１】
その内部に電気機器を収納する電気機器収納用箱本体が載置された状態で取り付けられ、床面に固定される基台の構造であって、
基台本体と、この基台本体の内部に取り付けられたアンカー取付部材とから構成され、
前記基台本体は、前記電気機器収納用箱本体が載置された状態で取り付けられる載置板部と、この載置板部の前後端もしくは左右端からそれぞれ垂下形成された垂下部とから構成され、垂下部を形成した端部とは異なる端部に開口が形成され、
前記アンカー取付部材は、アンカー取付部が形成された底板部と、この底板部の基端から上方に立ち上がり形成された内板部を有し、前記内板部が前記開口の奥側を向いて、前記開口から前記基台本体の内部に収納されて取り付けられており、
前記載置板部には、ケーブル用開口が形成され、前記内板部にはケーブルを保持させるケーブル保持部が形成され、これによって前記アンカー取付部と前記ケーブル保持部を、前記アンカー取付部材の底板部、内板部、上板部により囲まれた窪み空間内に位置させたことを特徴とする電気機器収納用箱の基台構造。
【請求項２】
前記電気機器収納用箱本体よりも幅広であることを特徴とする請求項１に記載の電気機器収納用箱の基台構造。
【発明の詳細な説明】
【技術分野】
【０００１】
本発明は、電気機器収納用箱本体が搭載される基台の改良に関する。
【背景技術】
【０００２】
従来から、電気機器収納用箱が搭載され、この電気機器収納用箱を床面に設置するための基台が有る。この基台の構造としては、従来、特許文献１に示されるように、複数のアングル材やチャンネル材を組み合わせて構成したフレーム構造のものが多い。このようなフレーム構造の基台では、アンカー取付部は、基台の内部に形成されているか、基台の外側に突出形成されている。アンカー取付部が基台の内部に形成されている場合には、作業者は、基台の内側から手や工具を入れて、アンカー取付部にアンカーを取り付けるので、床面への固定作業の作業性が悪いという問題があった。一方で、アンカー取付部が基台の外側に形成されている場合には、アンカー取付部やアンカーが基台から外部に露出しているので、見た目が悪いだけでなく、人がアンカー取付部やアンカーにつまずいてしまう恐れがあった。また、フレーム構造の基台では、載置される電気機器収納用箱の幅に対して幅を大きくすることができず、電気機器収納用箱の重心が高い場合には、電気機器収納用箱を安定的に床面に固定させることができないという問題があった。
【先行技術文献】
【特許文献】
【０００３】
【特許文献１】特開２００３−３３２７７２号公報
【発明の概要】
【発明が解決しようとする課題】
【０００４】
本発明は、上記問題を解決し、床面への固定作業が容易であり、人がつまずく恐れの無い電気機器収納用箱の基台を提供することを目的とする。
【課題を解決するための手段】
【０００５】
上記課題を解決するためになされた請求項１に記載の発明は、
その内部に電気機器を収納する電気機器収納用箱本体が載置された状態で取り付けられ、床面に固定される基台の構造であって、
基台本体と、この基台本体の内部に取り付けられたアンカー取付部材とから構成され、
前記基台本体は、前記電気機器収納用箱本体が載置された状態で取り付けられる載置板部と、この載置板部の前後端もしくは左右端からそれぞれ垂下形成された垂下部とから構成され、垂下部を形成した端部とは異なる端部に開口が形成され、
前記アンカー取付部材は、アンカー取付部が形成された底板部と、この底板部の基端から上方に立ち上がり形成された内板部を有し、前記内板部が前記開口の奥側を向いて、前記開口から前記基台本体の内部に収納されて取り付けられており、
前記載置板部には、ケーブル用開口が形成され、前記内板部にはケーブルを保持させるケーブル保持部が形成され、これによって前記アンカー取付部と前記ケーブル保持部を、前記アンカー取付部材の底板部、内板部、上板部により囲まれた窪み空間内に位置させたことを特徴とする。
【０００６】
これにより、ケーブル保持部が基台の外部に露出することが無いので、基台の美観が良好となる。
【０００７】
請求項２に記載の発明は、請求項１に記載の発明において、
前記電気機器収納用箱本体よりも幅広であることを特徴とする。
これにより、電気機器収納用箱を床面に安定させて固定させることが可能となる。
【発明の効果】
【０００８】
本発明によれば、電気機器収納用箱本体が載置された状態で取り付けられる基台は、基台本体と、この基台本体の内部に取り付けられたアンカー取付部材とから構成され、前記基台本体は、前記電気機器収納用箱本体が載置された状態で取り付けられる載置板部と、この載置板部の前後端もしくは左右端からそれぞれ垂下形成された垂下部から構成され、垂下部を形成した端部とは異なる端部に開口が形成され、前記アンカー取付部材は、アンカー取付部が形成された底板部と、この底板部の基端から上方に立ち上がり形成された内板部を有し、前記内板部が前記開口の奥側を向いて、前記開口から前記基台本体の内部に収納されて取り付けられていることを特徴とする。
これにより、作業者は前記開口から、手や工具を入れて、アンカーを床面に固着させることができ、電気機器収納用箱の床面への固定作業が容易である。また、アンカー取付部が、基台の内部に形成されているので、アンカー取付部やアンカーが基台から外部に露出することなく、見た目も美麗であり、人がアンカー取付部やアンカーにつまずいてしまう恐れも無い。
また、底板部の基端から上方に立ち上がり形成された内板部が、前記載置板部に作用する加重を支持するので、基台本体の圧壊が防止される。
【図面の簡単な説明】
【０００９】
【図１】電気機器収納用箱の斜視図である。
【図２】電気機器収納用箱の分解斜視図である。
【図３】基台本体の斜視図である。
【図４】基台の斜視図である。
【図５】基台の断面図である。
【図６】床面に固定された状態の基台の断面図である。
【図７】他の実施形態の基台の分解斜視図である。
【図８】他の実施形態の基台の断面図である。
【図９】他の実施形態の補強板の取付状態を示す斜視図である。
【図１０】基台の他の補強構造を示す斜視図である。
【図１１】基台の他の補強構造を示す斜視図である。
【発明を実施するための形態】
【００１０】
以下に図面を参照しつつ、本発明の好ましい実施の形態を示す。図１に示されるように、電気機器収納用箱１００は、電気機器収納用箱本体１０と、基台２０とから構成されている。電気機器収納用箱本体１０の内部に収納される電気機器としては、例えば、配電盤、制御盤、電気自動車用充電装置等が含まれる。基台２０には、電気機器収納用箱本体１０が載置された状態で取り付けられる。基台２０は、後述するように、アンカー２００（図６に示す）により床面９９９に固定される。以下、詳細に基台２０について説明する。
【００１１】
図４に示されるように、本発明の基台２０は、基台本体２１とアンカー取付部材２２とから構成されている。基台本体２１は、図３に示されるように、鋼板等の金属板の前後端を下方に折り曲げて形成したものであり、水平方向に形成された載置板部２１ａと、この載置板部２１ａの前後端からそれぞれ垂下形成された垂下部である前板部２１ｂ及び後板部２１ｆから構成され、断面形状が略コ字形状となっている。本実施形態では、垂下部である前板部２１ｂ及び後板部２１ｆの下端には、それぞれ内側に水平方向に折り曲げられた接続部２１ｃ、接続部２１ｇが形成されている。図３に示されるように、基台本体２１の両側端には、載置板部２１ａ、前板部２１ｂ、及び、後板部２１ｆにより囲まれた開口２１ｈが形成されている。なお、本実施形態では載置板部２１ａの前後の端部より垂下形成された前板部２１ｂ及び後板部２１ｆにおいて説明するが、前後に限定するものではなく、左右側に垂下部を形成し、垂下部を形成した端部とは異なる前後端部側に開口２１ｈを形成するものであって良いものである。
【００１２】
図４に示されるように、載置板部２１ａの中央部には、十字のケーブル用開口２１ｄが連通形成されている。また、載置板部２１ａのケーブル用開口２１ｄの周囲には、電気機器収納用箱本体取付孔２１ｅが形成されている。基台２０を床面９９９に取り付けた後に、基台２０上に電気機器収納用箱本体１０を取り付ける。詳しくは、電気機器収納用箱本体１０は、載置板部２１ａに載置された状態で、電気機器収納用箱本体取付孔２１ｅにネジ止めされて基台２０に取り付けられる。なお、電気機器収納用箱本体１０が基台２０に取り付けられた状態では、ケーブル用開口２１ｄと電気機器収納用箱１０の内部とは連通している。
【００１３】
アンカー取付部材２２は、図５に示されるように、鋼板等の金属板の両端を同一方向に折り曲げて形成した断面形状がコ字形状のチャンネル材であり、水平方向に形成された底板部２２ａと、この底板部２２ａの基端から上方に立ち上がり形成された内板部２２ｂと、この内板部２２ｂの上端から、水平方向に底板部２２ａと対向するように形成された上板部２２ｃとから構成されている。アンカー取付部材２２は、内板部２２ｂが基台本体２１の開口２１ｈの奥側を向いて、開口２１ｈから基台本体２１の内部に収納されている。そして、底板部２２ａの両端が接続部２１ｃ及び接続部２１ｇに溶接され、上板部２２ｃの先端縁が載置板部２１ａの側縁に溶接されて、アンカー取付部材２２が基台本体２１の内部に取り付けられている。
【００１４】
図４や図５に示されるように、底板部２２ａ、内板部２２ｂ、上板部２２ｃにより囲まれる空間は、窪み空間２２ｆとなっていて、この窪み空間２２ｆは外部に開放している。
図４や図５に示されるように、底板部２２ａには、アンカー取付部２２ｄが形成されている。本実施形態では、アンカー取付部２２ｄは、底板部２２ａに連通形成された孔状である。また、内板部２２ｂは原則的にはケーブル用の挿通孔を形成しておらず、必要に応じて図６に示されるように、内板部２２ｂにケーブル挿通孔２２ｅを連通形成させたり、又は、ノックアウト形状にしているものである。このような構造とすることにより、既に床面９９９に土台がすでに形成され、ケーブル８００やケーブル８００を導入するダクト等を通過させるために床面９９９を掘り返して、ダクト等を通すための孔を形成するなど作業が困難となる場合には、アンカー取付部材２２の内板部２２ｂの任意の位置にケーブル挿通孔２２ｅを形成することにより、床面９９９上に無駄な工事を行わなくても入線作業が出来るものである。
【００１５】
以上説明した実施形態では、図４に示されるように、アンカー取付部材２２は断面形状がコ字形状であるが、水平方向に形成された底板部２２ａと、この底板部２２ａの基端から上方に立ち上がり形成された内板部２２ｂとから構成された断面形状がＬ字形状のアンカー取付部２２であっても差し支え無い。この実施形態の場合には、内板部２２ｂの上端は、基台本体２１の載置板部２１ａと当接し、基台本体２１に作用する加重が、内板部２２ｂに作用し、アンカー取付部材２２で支持される。
【００１６】
次に、電気機器収納用箱１００の床面９９９への固定方法について説明する。基台２０を床面９９９上の設置場所に載置させた後に、作業者は、窪み空間２２ｆから手や工具を入れて、アンカー２００をアンカー取付部２２ｄに挿通させて床面９９９に固着させる。このように、本発明では、アンカー取付部２２ｄが基台本体２１の内部に形成され、詳しくは基台本体２１の載置板部２１ａの端面より内部に形成され、アンカー取付部２２ｄやアンカー２００が基台２０から外部に露出していないので、見た目も美麗であり、人がアンカー取付部２２ｄやアンカー２００につまずいてしまう恐れも無い。また、基台２０に窪み空間２２ｆが形成されているので、作業者は窪み空間２２ｆから、手や工具を入れて、アンカー２００を床面９９９に固着させることができ、基台２０の床面９９９への固定作業が容易である。基台２０を固定した後、載置板部２１ａ上に電気機器収納用箱本体１０を取り付けるものである。
【００１７】
図６に示されるように、上板部２２ｃ上に載置板部２１ａが載置されているので、載置板部２１ａに作用する電気機器収納用箱本体１０の荷重が、上板部２２ｃから内板部２２ｂに作用し、アンカー取付部材２２で支持される。このように、載置板部２１ａに作用する荷重が、アンカー取付部材２２で支持されるので、基台本体２１の圧壊が防止される。
【００１８】
図６はアンカー取付部材２２にケーブル挿通孔２２ｅを形成させた構造である。ケーブル８００を内板部２２ｂに形成したケーブル挿通孔２２ｅとケーブル開口部２１ｄに挿通させて、電気機器収納用箱本体１０内に入線させることができる。図６に示されるように、ケーブル挿通孔２２ｅにはケーブル保持部８１０が取り付けられて、ケーブル８００がケーブル保持部８１０で保持される。ケーブル８００は、窪み空間２２ｆから、外部に出線される。なお、ケーブル保持部８１０を、ケーブルの端部が着脱自在に接続されるケーブルコネクタとしても差し支え無い。なお、ケーブル８００には、電力供給用の電線や、光ケーブル等の通信線が含まれる。このようなケーブル保持部８１０においてもアンカー取付部２２ｄと同様に基台本体２１の載置板部２１ａの端部より内部に形成されることが望ましい。
【００１９】
本発明では、金属板材を折曲形成することにより基台本体２１を構成しているので、任意の幅の基台２０を製作することができる。このため、図１に示されるように、電気機器収納用箱本体１０の幅寸法よりも、大きい幅寸法の基台２０を製作し、当該基台２０上に電気機器収納用箱本体１０を取り付けることができるので、電気機器収納用箱本体１０の重心が高い位置にある場合であっても、電気機器収納用箱１００を安定させて床面９９９に固定させることが可能となる。また、任意の大きさの基台２０を製作することができるので、十分な大きさの窪み空間２２ｆを形成することができる。このため、作業者が窪み空間２２ｆから、手や工具を入れることが容易となる。また、ケーブル保持部８１０を収容するスペースを確保することができる。よって、電気機器収納用箱１００内に入線させるケーブル８００のスペースが狭まることなく利用することができるものである。
【００２０】
図７、図８に別の実施形態を示した図を示す。図７は別の実施形態の分解斜視図を示したものである。基台本体２１の形状は上記構造と同じであるが、フレーム体のアンカー取付部材３２は内板部３２ｂの上端部より載置板部２１ａのケーブル用開口２１ｄ側に向けて折曲形成した上板部３２ｃ、内板部３２ｂの下端部より上板部３２ｃ側とは反対方向に折曲形成した底板部３２ａからなるクランク状に形成してある。
【００２１】
クランク状に形成したアンカー取付部材３２の上板部３２ｃはケーブル用開口２１ｄに対応した位置に切欠部３２ｇ、電気機器収納用箱本体取付孔２１ｅに対応した位置にケーブル挿通孔３２ｅを形成し、更に、図８に示すように上板部３２ｃの電気機器収納用箱本体取付孔２１ｅに対応する位置の底面側にナット部４０が形成してあり、電気機器収納用箱本体１０の固定を行うことができる。なお、底板部３２ａの両端部にはアンカー取付部３２ｄが形成している。
【００２２】
取付においては図９に示すように、基台本体２１とアンカー取付部材３２の上板部３２ｃは溶接を行ったとき、底板部３２ａは接続部２１ｃ及び接続部２１ｇよりも基台本体２１の板厚分だけ上方に形成している。次に、接続部２１ｃ及び接続部２１ｇの間に、基台本体２１の板厚と同じである帯体の補強板３３を取り付けて、接続部２１ｃ及び接続部２１ｇ、底板部３２、補強板３３を溶接し固定するものである。
【００２３】
このような構造にすることにより、接続部２１ｃ及び接続部２１ｇ、補強板３３の底面がフラットに形成され、上板部３２ｃが基台本体２１の載置板部２１ａの特に電気機器収納用箱本体１０の載置部の補強、補強板３３により底板部３２ａの補強の役割を持ち、安定性が高く強固な基台の提供が可能である。
【００２４】
また、以上説明した実施形態の他の補強方法として図１０に示すように、底板部２２ａの両端と接続部２１ｃ及び接続部２１ｇ上に補強板３４を配設して、底板部２２ａの両端と接続部２１ｃ及び接続部２１ｇと前記補強板３４とを溶接により接合する方法や、図１１に示すように図４の基台２０の底面に口形状の補強板３５を溶接により接合して、基台２０の下部の強度を向上させても差し支えない。
【００２５】
以上、現時点において、もっとも実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う電気機器収納用箱の基台構造もまた技術的範囲に包含されるものとして理解されなければならない。   
【符号の説明】
【００２６】
１０    電気機器収納用箱本体
２０    基台
２１    基台本体
２１ａ  載置板部
２１ｂ  前板部
２１ｃ  接続部
２１ｄ  ケーブル用開口
２１ｅ  電気機器収納用箱本体取付孔
２１ｆ  後板部
２１ｇ  接続部
２１ｈ  開口
２２    アンカー取付部材
２２ａ  底板部
２２ｂ  内板部
２２ｃ  上板部
２２ｄ  アンカー取付部
２２ｅ  ケーブル挿通孔
２２ｆ  窪み空間
３２    アンカー取付部材
３２ａ  底板部
３２ｂ  内板部
３２ｃ  上板部
３２ｄ  アンカー取付部
３２ｅ  ケーブル挿通孔
３２ｆ  窪み空間
３２ｇ  切欠部
３２ｈ  ナット部
３３    補強板
３３ｄ  アンカー取付部
３４    補強板
３５    補強板
１００  電気機器収納用箱
２００  アンカー
８００  ケーブル
８１０  ケーブル保持部
９９９  床面
【図１】
0005625157.tif 000002
【図２】
0005625157.tif 000003
【図３】
0005625157.tif 000004
【図４】
0005625157.tif 000005
【図５】
0005625157.tif 000006
【図６】
0005625157.tif 000007
【図７】
0005625157.tif 000008
【図８】
0005625157.tif 000009
【図９】
0005625157.tif 000010
【図１０】
0005625157.tif 000011
【図１１】
0005625157.tif 000012